(57)【要約】【課題】浄化性能に優れた空気浄化装置を得る。【解決手段】被処理空気１５の通路に、接触材１９と、接触材１９への散水装置２３とが設けられる。接触材１９は、芯材２０と、芯材２０よりも微生物の付着しやすい繊維にて構成されるとともに芯材２０から放射状に突出する多数の嵩高の房状糸２１とを有する。【選択図】図１
2017104799.tif 000002
【特許請求の範囲】
【請求項１】
被処理空気の通路に、接触材と、接触材への散水装置とを設け、前記接触材は、芯材と、芯材よりも微生物の付着しやすい繊維にて構成されるとともに芯材から放射状に突出する多数の嵩高の房状糸とを有することを特徴とする空気浄化装置。
【発明の詳細な説明】
【技術分野】
【０００１】
本発明は空気浄化装置に関する。
【背景技術】
【０００２】
空気浄化装置として、たとえば特許文献１には、繊維集合体にて構成された気液接触部と、この気液接触部に洗浄水を散水する手段とを備えたものが開示されている。このような空気浄化装置では、気液接触部の繊維集合体で適度な保水状態が実現されるため、水封による圧力損失の上昇を抑えながら、微粒子などについての所要の除去性能を発揮させることが可能である。
【先行技術文献】
【特許文献】
【０００３】
【特許文献１】特開２０１３−２３３４９７号公報
【発明の概要】
【発明が解決しようとする課題】
【０００４】
しかし、繊維集合体で保水するだけでは、ある程度の空気浄化作用を期待できるに過ぎない。
そこで本発明は、浄化性能に優れた空気浄化装置を得ることを目的とする。
【課題を解決するための手段】
【０００５】
この目的を達成するために、本発明の空気浄化装置は、被処理空気の通路に、接触材と、接触材への散水装置とを設け、前記接触材は、芯材と、芯材よりも微生物の付着しやすい繊維にて構成されるとともに芯材から放射状に突出する多数の嵩高の房状糸とを有することを特徴とする。
【発明の効果】
【０００６】
本発明によれば、接触材が、芯材と、芯材よりも微生物の付着しやすい繊維にて構成されるとともに芯材から放射状に突出する多数の嵩高の房状糸とを有するため、この接触材には有機物を分解する微生物を大量に付着させることができる。このため本発明によれば、有機物を含む微粒子などを含有する空気を特に効果的に浄化させることができる。
【図面の簡単な説明】
【０００７】
【図１】本発明の実施の形態の空気浄化装置の概略構成を示す図である。
【発明を実施するための形態】
【０００８】
図１において、１１は密閉構造の処理装置で、処理室１２と、被処理空気１３の流入口１４と、処理済空気１５の流出口１６とを備える。流出口１６の近傍には、送風用のファン１７が設けられている。処理済空気１５は、後処理装置１８に導かれる。
【０００９】
処理室１２における空気流路には、複数の接触材１９が設置されている。各接触材１９は、上下方向に配置された芯材２０と、この芯材２０から水平方向に放射状に突出する多数の房状糸２１とを備えた、いわゆる揺動床式の接触材である。このような構成の接触材１９は、たとえば特開平５−９２１９６号公報に記載されている。
【００１０】
芯材２０は、ポリエステルなどの、微生物の付着しにくい材料で形成されている。これに対し房状糸２１は、芯材２０よりも微生物の付着しやすい、アクリル繊維などによって構成されている。
【００１１】
処理室１２における接触材１９よりも上方の位置には、接触材１９に向けて洗浄水２２を噴霧可能な散水装置２３が設けられている。２４は、散水装置２３への洗浄水の供給路である。処理室１２の底部には、接触材１９から落下する洗浄水２２を受け止める洗浄水溜め２５が設けられている。
【００１２】
２６は、洗浄水溜め２５からの引き抜き路で、引抜き水の処理装置２７が設けられている。２８は、洗浄水溜め２５から散水装置２３への循環路で、洗浄水溜め２５の水を散水装置２３へ戻して系内を循環させるためのものである。循環路２８には、循環用のポンプ２９が設けられている。
【００１３】
このような構成において、被処理空気１３を処理する際には、散水装置２３から接触材に向けて洗浄水２２を噴霧しながら、ファン１７を運転して被処理空気１３を接触材１９に通過させる。
【００１４】
すると、接触材１９の房状糸２１においては微生物が繁殖しやすく、この微生物が被処理空気１５に含まれる有機物を食することによって、この有機物が被処理空気１５から取り除かれる。この有機物は、微生物の作用によって有機汚泥に変換され、その有機汚泥は房状糸２１に付着される。有機汚泥が付着した房状糸２１は、被処理空気１５の空気流の作用によって揺動される。これにともなって、接触材１９の部分では被処理空気１５は乱流の状態で通過することになり、それにより被処理空気１５と接触材１９との接触頻度が高いものとなり、効果的な処理が行われる。
【００１５】
接触材１９は嵩高となる房状糸２１を有するため、この房状糸２１によって、被処理空気１３中に含まれる無機微粒子が効果的に捕捉される。また上述のように房状糸２１には有機汚泥が付着し、この有機汚泥は散水装置２３からの洗浄水２２を含んで湿潤状態に維持されるため、そのことによる無機微粒子の捕捉効果も発揮することができる。
【００１６】
接触材１９に対して過剰となる付着汚泥は、房状糸２１が空気流の作用によって揺動したときなどにおいて洗浄水２２とともに房状糸２１から落下して、洗浄水溜め２５に集められる。そして洗浄水溜め２５に溜まった流動体は、引抜き路２６によって系外に排出され、処理装置２７によって適宜の処理が施されたうえで、清澄水のみが放流される。
【００１７】
接触材１９を通過した被処理空気１３は、処理済空気１５となって後処理装置１８に送られる。後処理装置１８では、再度の接触材処理や、活性炭処理や、静電吸着処理などによって、さらに高度な処理が施される。高度処理された後の空気は大気中に放出される。
【００１８】
接触材１９から落下してきた洗浄水溜め２５内の洗浄水２２は、有機物を含むために、ＢＯＤ源として機能することができる。したがって、この洗浄水溜め２５内の洗浄水２２を循環路２８によって散水装置２３に所要量だけ循環させることで、系内のＢＯＤ濃度を、揺動床式の接触材１９の稼働に適した値に制御することができる。揺動床式の接触材１９は、一般にＢＯＤ濃度が高いほど高能率で稼働することができる。
【００１９】
本発明者が実験を行った結果について説明する。縦×横×高さが１００ｃｍ×１００ｃｍ×１００ｃｍの処理室１２を準備した。接触材１９として、ポリエステル製の芯材２０の長さを５０ｃｍとし、アクリル嵩高糸製の長さ５ｃｍ程度の房状糸２１を芯材２０から放射方向に突出させ、多数の房状糸２１を芯材２０のまわりにスパイラル形に配置したものを複数本用いた。そして、被処理空気１３の流量を０．１ｍ３／分とし、散水装置２３から適量の洗浄水２２を噴霧しながら実験を行った。なお、洗浄水溜め２５に溜まった洗浄水２２のうちの適量を循環路２８によって散水装置２３に循環させた。
【００２０】
そうしたところ、洗浄水溜め２５内の洗浄水２２のＢＯＤは、実験開始当初において１０ｍｇ／リットルであったものを、４ｍｇ／リットルまで低下させることができた。このことから、本発明の空気浄化装置によれば、被処理空気中１３に含まれる有機物を回収して分解することができることが実証された。
【００２１】
このように本発明の空気浄化装置によれば、汚染物質として特に粒子状の有機物を含んだ空気を、一般的なスクラバーのように多量の水を使用せずに、少量の洗浄水２２だけで良好に浄化することができる。よって、工場からの排気や、畜産現場の悪臭の改善対策にも有効に活用することができる。
【００２２】
また、図示の装置、特に処理室１２は手頃なサイズで構築することができ、よって車両に積載した構成として、トレーラに牽引されることで随所に移動して稼働させることができる。たとえば、清浄化すべき気体の発生現場へ急行させて稼働させることも可能である。
【符号の説明】
【００２３】
１２    処理室
１９    接触材
２０    芯材
２１    房状糸
２２    洗浄水
２３    散水装置
２８    循環路
【図１】
2017104799.tif 000003